(57)【要約】【課題】鉄塔に装備してある昇降機用レールの撤去作業に際し、回線を充電停止することなく安全かつ容易に行うことができ、しかもこの作業を地上の小さなスペースで実現すること。【解決手段】鉄塔本体に添って装備された昇降機用のレールＲを撤去するための撤去装置であって、昇降機用のレールに沿って相互に間隔をおいて昇降移動可能に装着される第１撤去用具２および第２撤去用具３を有する撤去用具１と、それら第１撤去用具と第２撤去用具を連結する連結索４と、撤去用具をレールに沿って昇降移動させる昇降手段とを備える。昇降手段は、鉄塔上部に配置された滑車８と、一端が第１撤去用具に対して着脱可能に連結され、他端が滑車を通って鉄塔下部へ導かれた吊り索９と、その吊り索の他端に接続され、吊り索の巻き取り及び巻き出し駆動を行うウインチ１０とを含む構成とした。【選択図】図１
2007261720.tif 000002
【特許請求の範囲】
【請求項１】
鉄塔本体に添って装備された昇降機用のレールを撤去するための鉄塔昇降機用レールの撤去装置であって、
前記昇降機用のレールに沿って相互に間隔をおいて昇降移動可能に装着される第１撤去用具および第２撤去用具を有する撤去用具と、
それら第１撤去用具と第２撤去用具を連結する連結索と、
前記撤去用具を前記レールに沿って昇降移動させる昇降手段とを備え、
前記昇降手段は、鉄塔上部に配置された滑車と、一端が前記第１撤去用具に対して着脱可能に連結され、他端が前記滑車を通って鉄塔下部へ導かれた吊り索と、その吊り索の他端に接続され、吊り索の巻き取り及び巻き出し駆動を行うウインチとを含む、鉄塔昇降機用レールの撤去装置。
【請求項２】
前記第１撤去用具及び第２撤去用具は、矩形枠状に形成されたフレームと、そのフレームに支持され、前記レールに沿って案内される複数のガイドローラとをそれぞれ備えている、請求項１に記載の鉄塔昇降機用レールの撤去装置。
【請求項３】
請求項１又は２に記載の鉄塔昇降機用レールの撤去装置を用いたレール撤去方法であって、
前記昇降手段により、前記撤去用具を、第１撤去用具の先端が鉄塔上部の撤去すべき単位レールのジョイント下に位置するまで上昇させる第１工程と、
結束具により第１撤去用具を鉄塔に固定した状態で前記吊り索を第１撤去用具から外し、撤去すべき単位レールの上部に連結する第２工程と、
前記単位レールを鉄塔上部から外し、吊り索を巻き出しながら単位レールを撤去用具に添わせて結束具によりその撤去用具に固定する第３工程と、
前記ウインチにより前記吊り索を巻き出して単位レールを撤去用具と共に地上へ降ろす第４工程と、
地上にて単位レールを撤去用具から外す第５工程とを行う、鉄塔昇降機用レールの撤去方法。
【請求項４】
前記第５工程の後に、前記撤去した単位レールの下に位置する次の単位レールを前記撤去用具を利用して撤去する工程を行う、請求項３に記載の鉄塔昇降機用レールの撤去方法。
【発明の詳細な説明】
【技術分野】
【０００１】
本発明は、架空送電線鉄塔などの鉄塔本体に添って装備された昇降機用レールを撤去する技術として好適な、鉄塔昇降機レールの撤去装置及びそれを用いたレール撤去方法に関する。
【背景技術】
【０００２】
鉄塔昇降機用のレールに限らず、鉄塔上部から長尺物Ｌを下ろすには、図８に示すように、鉄塔頂部に滑車（金車）５０を付けワイヤー５１で吊って下ろしている。特に長尺物の場合は、充電部に接近することによって電気事故を起こす可能性が高いため、通常の２回線送電鉄塔であれば、最低でも片方の回線を充電停止して（図８において充電回線を白丸で、停止回線を黒丸で示す）、鉄塔頂部の滑車５０を停止回線側に寄せてロープ５２で引きながら下ろしている。
【発明の開示】
【発明が解決しようとする課題】
【０００３】
長尺重量物（レール）を鉄塔上部から地上に降ろす場合、鉄塔にレールが当たらないよう鉄塔から離して吊り下げることが必要となる。しかし、図８に示したような従来の方法では、振り子の原理により吊り荷が左右に振れることから、実際には下記の問題を発生させている。
（１）充電部との接触事故を防止するため、作業中は最低でも片方の回線を停止する必要があり、作業日や作業時間に制限を与えている。何より充電部に接近することによる感電災害・事故等が懸念される。
（２）地上に荷下ろしのスペースの確保や、レールを下ろす際、振れを抑えるために地上からのロープによる介錯が必要となるが、近年の土地利用事情から鉄塔周辺にも住宅などが増加し、必要な作業スペースが確保できない場合があり、施工（撤去作業）を断念するケースがある。
【０００４】
よって、本発明は、鉄塔に装備してある昇降機用レールの撤去作業に際し、回線を充電停止することなく安全かつ容易に行うことができ、しかもこの作業を地上の小さなスペースで実現することができる技術を提供することを目的とする。
【課題を解決するための手段】
【０００５】
前記課題を解決するため、本発明では以下の手段を採用した。
【０００６】
本発明は、鉄塔本体に添って装備された昇降機用のレールを撤去するための鉄塔昇降機用レールの撤去装置であって、昇降機用のレールに沿って相互に間隔をおいて昇降移動可能に装着される第１撤去用具および第２撤去用具を有する撤去用具と、それら第１撤去用具と第２撤去用具を連結する連結索と、撤去用具をレールに沿って昇降移動させる昇降手段とを備え、昇降手段は、鉄塔上部に配置された滑車と、一端が第１撤去用具に対して着脱可能に連結され、他端が滑車を通って鉄塔下部へ導かれた吊り索と、その吊り索の他端に接続され、吊り索の巻き取り及び巻き出し駆動を行うウインチとを含む構成とした。
【０００７】
本発明の撤去装置によれば、昇降機用のレールに沿って相互に間隔をおいて昇降移動可能に装着される第１撤去用具および第２撤去用具を有する撤去用具と、それら第１撤去用具と第２撤去用具を連結する連結索と、撤去用具をレールに沿って昇降移動させる昇降手段とを備えるので、鉄塔に装備してある昇降機用レールの撤去作業に際し、回線を充電停止することなく安全かつ容易に行うことができる。また、撤去用具はレールに沿って昇降
するので、この撤去作業を地上の小さなスペースで実現することができる。さらに、第１撤去用具と第２撤去用具を連結索で連結しているので、鉄塔の傾斜にもスムーズに対応できると共に、撤去物長さによって第１撤去用具と第２撤去用具との間隔を任意に変更することができる。
【０００８】
ここで、前記第１撤去用具及び第２撤去用具は、矩形枠状に形成されたフレームと、そのフレームに支持され、レールに沿って案内される複数のガイドローラとを備えていることが望ましい。このようにすれば、撤去用具をレールに沿って円滑かつ安全に昇降させることができる。
【０００９】
一方、本発明は、上記の鉄塔昇降機用レールの撤去装置を用いたレール撤去方法であって、昇降手段により、撤去用具を、第１撤去用具の先端が鉄塔上部の撤去すべき単位レールのジョイント下に位置するまで上昇させる第１工程と、結束具により第１撤去用具を鉄塔に固定した状態で吊り索を第１撤去用具から外し、撤去すべき単位レールの上部に連結する第２工程と、単位レールを鉄塔上部から外し、吊り索を巻き出しながら単位レールを撤去用具に添わせて結束具によりその撤去用具に固定する第３工程と、ウインチにより吊り索を巻き出して単位レールを撤去用具と共に地上へ降ろす第４工程と、地上にて単位レールを撤去用具から外す第５工程とを行う方法とした。
【００１０】
この発明によれば、鉄塔に装備してある昇降機用レールの撤去作業に際し、回線を充電停止することなく安全かつ容易に行うことができる。また、撤去用具をレールに沿って昇降させるので、この撤去作業を地上の小さなスペースで実現することができる。
【００１１】
ここで、前記第５工程の後に、撤去した単位レールの下に位置する次の単位レールを撤去用具を利用して撤去する工程を行うことが望ましい。
【発明の効果】
【００１２】
本発明によれば、鉄塔に装備してある昇降機用レールの撤去作業に際し、回線を充電停止することなく安全かつ容易に行うことができ、しかもこの作業を地上の小さなスペースで実現することができる。
【発明を実施するための最良の形態】
【００１３】
以下、本発明の好適な実施例について、図面を参照して説明する。
【００１４】
図１は、本発明の実施例に係る鉄塔昇降機用レールの撤去装置を示す全体構成図である。図２は撤去装置の使用例を示す部分拡大図である。図３は撤去装置の撤去用具の構成図である。図４及び図５は撤去用具の部分拡大図である。図６はレールと撤去用具との関係を示す要部の一部断面図である。
【００１５】
この実施例に係る撤去装置は、鉄塔本体Ａに添って装備された昇降機用のレールＲを撤去するための装置であって、レールＲに沿って相互に間隔をおいて昇降移動可能に装着される第１撤去用具２および第２撤去用具３を有する撤去用具１と、それら第１撤去用具２と第２撤去用具３を連結する連結索４、４と、撤去用具１をレールＲに沿って昇降移動させる昇降手段とを備えている。
【００１６】
昇降機用のレールＲは本来昇降機を使用することにより、鉄塔建設時や保守作業時に、作業員のエレベータ的な利用目的のため設置しており、本発明ではこのレールＲを利用してレール自体を撤去する考え方を採用している。このレールＲは設置作業に便利な一定の長さの単位レールｒを複数接続することで、鉄塔下部から鉄塔上部に至る長さのレールとして形成されている。
【００１７】
撤去用具１は図３に示すように、第１撤去用具２と第２撤去用具３とを一対のワイヤーからなる連結索４、４により連結した構成としている。第１撤去用具２と第２撤去用具３は共に同一構造であるので、ここでは第１撤去用具２について説明し、第２撤去用具３については同一符号を付してその説明を簡略化する。
【００１８】
第１撤去用具２は、溝型鋼等を利用した二つの横材２２と二つの縦材２３により矩形枠状に形成されたフレーム２１と、そのフレーム２１に支持され、レールＲに沿って案内される複数のガイドローラ６、７とを備えている。フレーム２１には孔付きの吊り金具２４が設けられている。吊り金具２４は上下の横材２２のうち、上側の横材２２の長さ方向中央部に設けられている。この位置は第１撤去用具２を吊り下げたときの重心位置に相当している。
【００１９】
フレーム２１の片面側（裏面側）には、その片面側から突出する一対の支持プレート２５が設けられている。ガイドローラ、６、７は、取付板２６に並べて取り付けられ、この取付板２６が支持プレート２５にボルト２７により固定されている。ガイドローラ６、７のうちの一方のガイドローラ７は、レールＲを構成するために平行配置した一対のＨ型鋼の外側の溝部分２８に進入して抜け止めローラとして機能し、他方のガイドローラ６はＨ型鋼の表面側に配置されて転がりローラとして機能するように配慮されている。
【００２０】
即ち、ガイドローラ６、７は対を構成していて、互いに間隔を有するように並べて配置され、それらガイドローラ６、７間にＨ型鋼のフランジ２８ａ部分が進入するように配慮されている。この対を構成するガイドローラ６、７は、支持プレート２５の両端側に２組、合計４組設けれている。これにより、この第１撤去用具２及び第２撤去用具３からなる撤去用具１はレールＲに沿って安定かつ円滑に昇降移動可能に構成されている。なお、図５において、符号６ａ、７ａはローラの回転軸を示し、図４において符号２２ａは連結索４の連結孔を示している。また、図６において２９は連結材を示している。
【００２１】
撤去用具１の昇降手段は、鉄塔上部に配置された滑車８と、一端が第１撤去用具２の吊り金具２４に対してＵクレビス（シャックル）等を介して着脱可能に連結され、他端が滑車８を通って鉄塔下部へ導かれた吊り索９と、その吊り索９の他端に接続され、吊り索９の巻き取り及び巻き出し駆動を行うＢＶウインチ１０とを備えている。
【００２２】
この実施例の撤去装置によれば、昇降機用のレールＲに沿って相互に間隔をおいて昇降移動可能に装着される第１撤去用具２および第２撤去用具３を有する撤去用具１と、それら第１撤去用具２と第２撤去用具３を連結する一対の連結索４と、撤去用具１をレールＲに沿って昇降移動させる昇降手段とを備えるので、鉄塔に装備してある昇降機用レールＲの撤去作業に際し、回線を充電停止することなく安全かつ容易に行うことができる。また、撤去用具１はレールＲに沿って昇降するので、この撤去作業を地上の小さなスペースで実現することができる。
【００２３】
この作業工程では、図８の作業フロー図に示すように、撤去用具の組立、撤去用具の取り付け、ワイヤールートの構成、昇降機用レールの撤去、ワイヤールートの撤去、の順に行い、撤去完了とする。以下に、この撤去用具１を利用した昇降機用レールＲの撤去方法について順次説明する。
＜撤去用具の組立＞
（１）第１の撤去用具２と第２の撤去用具３を連結索４，４およびＵクレビス等を使用して連結し、撤去用具１を構成する。
（２）このとき、ガイドローラ６、７は撤去用具１をレールＲに取り付ける際に後付けするので外しておく。
（３）鉄塔下部にてレールＲに第１撤去用具２および第２撤去用具３を装着する。その際、外しておいたガイドローラ６、７をフレーム２１の支持プレート２５にボルト２７にて取り付けることで、撤去用具１をレールＲに装着する。
＜ワイヤールートの構成＞
（１）鉄塔上部に滑車（金車）８を付け、吊り索９としてのワイヤーロープを通し鉄塔下部へ降ろす。
（２）鉄塔下部の一脚にＢＶウインチ１０を取り付ける。
（３）吊り索９の片端（他端）をウインチ１０にＵクレビスを使用して接続し、鉄塔上部より下ろした片端（一端）を上段に位置する第１撤去用具２の吊り金具２４にＵクレビスを使用して接続する。
【００２４】
＜レールＲの撤去＞
（１）ウインチ１０で吊り索９を巻き、撤去用具１を、第１撤去用具２の先端が鉄塔上部の撤去すべき単位レールｒのジョイント下に位置するまで上昇させる（第１工程）。
（２）ロープ等の結束具により第１撤去用具２を鉄塔に固定した状態で吊り索９を第１撤去用具２から外し、撤去すべき単位レールｒの上部に連結する（第２工程）。
（３）単位レールｒを鉄塔上部から外し、吊り索９を巻き出し（緩め）ながら単位レールｒを撤去用具１に添わせてロープ等の結束具によりその撤去用具１に固定する（第３工程）。
（４）ウインチ１０により吊り索９を巻き出して単位レールｒを撤去用具１と共に地上へ降ろす（第４工程）。
（５）地上にて単位レールｒを撤去用具１から外す（第５工程）。
（６）単位レールｒに付いている吊り索９を外し、撤去用具１の吊り金具２４にＵクレビスにて取り付ける（第６工程）。
（７）第１工程から第６工程までの作業を繰り返す。
＜ワイヤールートの撤去＞
（１）レールＲを地上から二節目まで外したら、単位レールｒに付けていた吊り索９の一端を持って鉄塔上部に昇る。
（２）ウインチ９で吊り索１０を巻き取りながら、吊り索９を撤去する。
（３）滑車８を外す。
＜完了＞
（１）撤去用具１（第１撤去用具２、第２撤去用具３）をレールＲから外す。
（２）最下節のレールＲ（単位レールｒ）を外す。
【００２５】
この方法によれば、鉄塔に装備してある昇降機用レールＲの撤去作業に際し、回線を充電停止することなく安全かつ容易に行うことができる。また、撤去用具１をレールＲに沿って昇降させるので、この撤去作業を地上の小さなスペースで実現することができる。
【図面の簡単な説明】
【００２６】
【図１】本発明の実施例に係る鉄塔昇降機用レールの撤去装置を示す全体構成図である。
【図２】本発明の実施例に係る撤去装置の使用例を示す部分拡大図である。
【図３】本発明の実施例に係る撤去装置の撤去用具の構成を示すもので、（ａ）は正面図、（ｂ）は側面図である。
【図４】本発明の実施例に係る撤去用具の部分拡大図である。
【図５】本発明の実施例に係る撤去用具の部分拡大図である。
【図６】レールと撤去用具との関係を示す要部の一部断面図である。
【図７】本発明の実施例にレール撤去方法を示すフロー図である。
【図８】従来例を示す説明図である。
【符号の説明】
【００２７】
１  撤去用具
２  第１撤去用具
３  第２撤去用具
４  連結索
６  ガイドローラ
７  ガイドローラ
８  滑車（金車）
９  吊り索
１０  ＢＶウインチ
２１  フレーム
２２  横材
２３  縦材
２４  吊り金具
２５  支持プレート
２６  取付プレート
２７  ボルト
【図１】
2007261720.tif 000003
【図２】
2007261720.tif 000004
【図３】
2007261720.tif 000005
【図４】
2007261720.tif 000006
【図５】
2007261720.tif 000007
【図６】
2007261720.tif 000008
【図７】
2007261720.tif 000009
【図８】
2007261720.tif 000010